(57)【特許請求の範囲】
【請求項１】
室内熱交換器（２１）を蒸発器として機能させ室内空気に含まれる水分を前記室内熱交換器（２１）に凝縮させて前記室内熱交換器（２１）を洗浄する洗浄運転を行う空調室内機（２）と、
室内の加湿を行う加湿機（６）と、
制御部（８）と、
報知部（８２）と、
を備え、
前記制御部（８）は、前記洗浄運転が指示された場合に、前記加湿機（６）の加湿能力を低下させる操作が為された場合、前記加湿機（６）の能力を回復させるように制御する、あるいは、前記報知部（８２）を制御して前記加湿機（６）の加湿能力を回復させることを促す報知を行う、
室内空調システム（１）。
【請求項２】
前記制御部（８）は、前記加湿機（６）を遠隔操作する遠隔操作機能を有し、
前記制御部（８）は、前記加湿機（６）の加湿能力が低下するような操作がなされた場合に、遠隔操作によって前記加湿機（６）の加湿能力を回復させるように制御する、
請求項１に記載の室内空調システム（１）。
【請求項３】
湿度センサ（３２）をさらに備え、
前記制御部（８）は、前記湿度センサ（３２）の検出値に基づき、前記加湿機（６）の加湿能力が低下するような操作がなされたか否かを判定し、
前記制御部（８）は、前記加湿機（６）の加湿能力が低下するような操作がなされたと判定した場合に、前記報知部（８２）を制御して前記加湿機（６）の加湿能力を回復させることを促す報知を行う、
請求項１に記載の室内空調システム（１）。
【請求項４】
室内熱交換器（２１）を蒸発器として機能させ室内空気に含まれる水分を室内熱交換器（２１）に凝縮させて前記室内熱交換器（２１）を洗浄する洗浄運転を行う空調室内機（２）と、
室内の加湿を行う加湿機（６）と、
制御部（８）と、
を備え、
前記制御部（８）は、前記洗浄運転中、前記洗浄運転をしていないときに比べて前記加湿機（６）の加湿能力の低下を生じ難くする能力低下抑制措置を行う、
室内空調システム（１）。
【請求項５】
前記制御部（８）は、前記能力低下抑制措置として、前記洗浄運転と前記加湿機（６）の加湿運転とが連動していること報知する、
請求項４に記載の室内空調システム（１）。
【請求項６】
前記制御部（８）は、前記加湿機（６）を遠隔操作する遠隔操作機能を有し、
前記加湿機（６）は、所定操作以外の入力を制限する操作制限機能を有し、
前記制御部（８）は、前記能力低下抑制措置として、前記加湿機（６）の前記操作制限機能を遠隔操作で有効にする、
請求項４に記載の室内空調システム（１）。
【請求項７】
前記加湿機（６）は、複数の操作ボタンを有し、
前記所定操作は、前記複数の操作ボタンのうちの所定操作ボタンを、通常よりも長く押す操作、または２回以上押す操作である、
請求項６に記載の室内空調システム（１）。
【請求項８】
前記制御部（８）は、前記加湿機（６）の停止を検知または推定したとき、前記洗浄運転を停止する、
請求項１から請求項７のいずれか１項に記載の室内空調システム（１）。
【請求項９】
前記制御部は、前記加湿機（６）の停止による前記洗浄運転の停止を、通信端末、または遠隔操作装置を介して報知する、
請求項１から請求項８のいずれか１項に記載の室内空調システム（１）。
【発明の詳細な説明】
【技術分野】
【０００１】
室内熱交換器の洗浄を行うための洗浄運転を行う室内空調システムに関する
【背景技術】
【０００２】
近年、室内機の室内熱交換器を自動で洗浄することができる空調機が市場に投入されるようになった。例えば、特許文献１（特開２０１０−０１４２８８号公報）に記載の空気調和機では、室内熱交換器のフィンの少なくも一部を着霜させる着霜運転を行い、その後除霜運転により除霜水を発生させてフィン表面に付着した汚れを除去する手段を備えている。
【発明の概要】
【発明が解決しようとする課題】
【０００３】
本開示は、熱交換器の洗浄に必要な湿度を確保し得る空気調和機を提供するものである。
【課題を解決するための手段】
【０００４】
第１観点の室内空調システムは、空調室内機と、加湿機と、制御部と、報知部とを備えている。空調室内機は、室内熱交換器を洗浄する洗浄運転を行う。洗浄運転では、室内熱交換器を蒸発器として機能させ室内空気に含まれる水分を室内熱交換器に凝縮させて室内熱交換器を洗浄する。加湿機は、室内の加湿を行う。制御部は、加湿機の加湿能力を低下させる操作が為された場合、加湿機の能力を回復させるように制御する、あるいは、報知部を制御して加湿機の加湿能力を回復させることを促す報知を行う。
【０００５】
この室内空調システムでは、加湿機を稼働させながら室内熱交換器の洗浄運転を行っているときに、ユーザーが加湿機を停止させても、加湿機を再起動、または再起動を促す報知をすることによって、洗浄運転に必要な湿度を確保することができる。
【０００６】
洗浄運転には、室内熱交換器の表面温度を氷点下にする凍結運転を行い、凍結運転の終了後に解凍させて室内熱交換器を洗浄する動作が含まれる。
【０００７】
第２観点の室内空調システムは、第１観点の室内空調システムであって、制御部が、加湿機を遠隔操作する遠隔操作機能を有している。制御部は、加湿機の加湿能力が低下するような操作がなされた場合に、遠隔操作によって加湿機の加湿能力を回復させるように制御する。
【０００８】
この室内空調システムでは、加湿機を再起動させることによって、湿度低下を回避する。
【０００９】
第３観点の室内空調システムは、第１観点の室内空調システムであって、湿度センサをさらに備えている。制御部は、湿度センサの検出値に基づき、加湿機の加湿能力が低下するような操作がなされたか否かを判定する。制御部は、加湿機の加湿能力が低下するような操作がなされたと判定した場合に、報知部を制御して加湿機の加湿能力を回復させることを促す報知を行う。
【００１０】
この室内空調システムでは、加湿機の再起動を促すことによって、湿度低下の防止を図る。
【００１１】
第４観点の室内空調システムは、空調室内機と、加湿機と、制御部とを備えている。空調室内機は、室内熱交換器を洗浄する洗浄運転を行う。洗浄運転では、室内熱交換器を蒸発器として機能させ室内空気に含まれる水分を室内熱交換器に凝縮させて室内熱交換器を洗浄する。加湿機は、室内の加湿を行う。制御部は、洗浄運転中、能力低下抑制措置を行う。能力低下抑制措置は、洗浄運転をしていないときに比べて加湿機の加湿能力の低下を生じ難くする。
【００１２】
この室内空調システムでは、能力低下抑制措置によって加湿器の能力低下による湿度低下を抑制することができる。
【００１３】
第５観点の室内空調システムは、第４観点の室内空調システムであって、制御部が、能力低下抑制措置として、洗浄運転と加湿機の運転とが連動していること報知する。
【００１４】
この室内空調システムでは、洗浄運転と加湿機とが連動していることを報知することによって、ユーザーによる加湿機の停止を未然に防止する。
【００１５】
第６観点の室内空調システムは、第４観点の室内空調システムであって、制御部が、加湿機を遠隔操作する遠隔操作機能を有している。加湿機は、所定操作以外の入力をキャンセルする操作制限機能を有している。制御部は、能力低下抑制措置として、加湿機の操作制限機能を遠隔操作で有効にする。
【００１６】
この室内空調システムでは、操作制限機能を起動させることによって、加湿機の停止などの加湿能力を下げるような操作を阻止して、湿度低下を回避する。
【００１７】
第７観点の室内空調システムは、第６観点の室内空調システムであって、加湿機が複数の操作ボタンを有している。所定操作は、複数の操作ボタンのうちの所定操作ボタンを、通常よりも長く押す操作、または２回以上押す操作である。
【００１８】
この室内空調システムでは、通常の操作では加湿機の能力を低下できないようにすることで、加湿機を稼働させながら室内熱交換器の洗浄運転を行っている間、加湿機の能力低下による湿度低下を防止することができる。
【００１９】
第８観点の室内空調システムは、第１観点から第７観点のいずれか１つの室内空調システムであって、制御部が、加湿機の停止を検知または推定したとき、洗浄運転を停止する。
【００２０】
この室内空調システムでは、湿度低下した状況での洗浄運転は効果が望めないので、洗浄運転を停止する。
【００２１】
第９観点の室内空調システムは、第１観点から第８観点のいずれか１つの室内空調システムであって、制御部が、加湿機の停止による洗浄運転の停止を、通信端末、または遠隔操作装置を介して報知する。
【図面の簡単な説明】
【００２２】
【図１】第１実施形態に係る室内空調システムの構成の一例を示す概念図である。
【図２】室内空調システムの室内機の構成の一例を示す断面図である。
【図３】図１の室内空調システムが有する冷媒回路と空気流路とを説明するための図である。
【図４】図１の室外機と加湿機の構成例を示す分解斜視図である。
【図５】図１の室内空調システムの構成を説明するためのブロック図である。
【図６】制御部の構成を説明するためのブロック図である。
【図７】室内空調システムの動作を説明するためのフローチャートである。
【図８】通常運転の加湿運転と洗浄運転を比較するためのタイミングチャートである。
【図９】洗浄運転に自動的に移行する際の制御部の動作例を示すフローチャートである。
【図１０Ａ】洗浄運転における空気調和機の加湿機制御の動作フローチャートである。
【図１０Ｂ】洗浄運転における空気調和機の加湿機制御の別の動作フローチャートである。
【図１１】第２実施形態に係る室内空調システムの構成の一例を示す概念図である。
【図１２】図１１の空気清浄機の構成例を示す分解斜視図である。
【図１３】図１１の空気清浄機の外観を示す斜視図である。
【図１４】図１１の室内空調システムの構成を説明するためのブロック図である。
【図１５】加湿機が操作制限機能を有する場合の、洗浄運転における空気調和機の加湿機制御の動作フローチャートである。
【図１６】洗浄運転における空気調和機の加湿機制御の別の動作フローチャートである。
【図１７】第３実施形態に係る室内空調システムの動作を説明するためのフローチャートである。
【発明を実施するための形態】
【００２３】
＜第１実施形態＞
（１）室内空調システム１の構成の概要
図１は、第１実施形態に係る室内空調システム１の構成の一例を示す概念図である。図１において、室内空調システム１は、空気調和機１０と加湿機６とを備えている。空気調和機１０は、室内機２と室外機４とを備えている。
【００２４】
室内機２は、部屋ＲＭに設置され、部屋ＲＭの中の空気調和を行う。第１実施形態では、室内機２が部屋ＲＭの壁ＷＬに取り付けられている。しかし、室内機２は、部屋ＲＭの壁ＷＬに設置されるタイプに限られるものではない。室内機２は、例えば、天井ＣＥまたは床ＦＬに設置されるものであってもよい。
【００２５】
図２は、室内空調システム１の室内機２の構成の一例を示す断面図である。図２において、室内機２は、室内熱交換器２１を有している。室内機２は、室内熱交換器２１に室内空気（部屋ＲＭの中の空気）を通して室内空気の熱交換を行う。
【００２６】
室内熱交換器２１は、複数の伝熱フィン２１ａと複数の伝熱管２１ｂとを有している。室内空気は、複数の伝熱フィン２１ａの間を通過する。また、熱交換の際には、複数の伝熱フィン２１ａの間を空気が通過すると同時に、伝熱管２１ｂの中を冷媒が流れる。伝熱管２１ｂは、複数折り返されていて１つの伝熱フィン２１ａを複数回貫通する。
【００２７】
図３は、図１の室内空調システム１が有する冷媒回路と空気流路とを説明するための図である。図１および図３において、加湿機６は、部屋ＲＭの中（室内）に水分を供給して、室内の湿度を上げる加湿を行う。
【００２８】
図４は、図１の室外機４と加湿機６の構成例を示す分解斜視図である。また、図５は、図１の室内空調システムの構成を説明するためのブロック図である。図３〜図５Ａにおいて、室内空調システム１は、室内機２と加湿機６とを制御する制御部８を備えている。
【００２９】
制御部８は、室内熱交換器２１を洗浄する運転である洗浄運転を行うように室内機２を制御する。制御部８は、洗浄運転において、室内の湿度を上昇させるように加湿機６を制御すると共に、室内熱交換器２１の表面で結露水を生じさせることによって室内熱交換器２１の表面を洗浄する。加湿機６の起動は、空気調和機１０の運転の前に行われても良いし、空気調和機１０の運転と同時に行われてもよい。
【００３０】
制御部８は、洗浄運転において、先に、室内の湿度が所定湿度に達するように加湿機６を制御することが好ましい。この場合には、加湿機６で室内を所定湿度にした後に、制御部８は、室内熱交換器２１の表面で結露水を生じさせて当該表面を洗浄する。ここでいう室内熱交換器２１の表面には、伝熱フィン２１ａが含まれる。
【００３１】
制御部８は、例えば、マイクロコンピュータにより実現されるものである。制御部８は、例えば、洗浄運転では、先ず加湿機６に加湿動作を行わせ、次に室内機２に洗浄動作を行わせる。
【００３２】
気象条件などによって室内が乾燥した場合、室内が乾燥したままでは室内熱交換器２１の表面に結露を生じさせて室内熱交換器２１の表面を洗浄することが難しくなる。
【００３３】
しかし、気象条件などによって室内がもし乾燥していても、室内空調システム１は、洗浄運転の加湿で室内の湿度を所定湿度まで上げることができる。
【００３４】
室内空調システム１は、室内の湿度が所定湿度まで上がった状態で、洗浄動作を行うことができる。
【００３５】
このように、室内空調システム１は、気象条件などによる室内の乾燥に左右されず、室内熱交換器２１の表面に十分な結露を生じさせて表面を洗浄することができる。
【００３６】
（２）詳細構成
空気調和機１０は、室内機２と室外機４とリモートコントローラ１５とを有している。室内機２と室外機４とは、冷媒連絡管１１，１２で接続されている。室内機２と室外機４と冷媒連絡管１１，１２とは冷媒回路１３を構成している。
【００３７】
室内機２と室外機４は、制御部８により制御される。冷媒回路１３では、例えば、冷房運転、暖房運転及び除湿運転の際に、蒸気圧縮式冷凍サイクルが繰り返される。
【００３８】
（２−１）室内機２
図２、図３及び図５に示されているように、室内機２は、室内熱交換器２１と、室内ファン２２と、ケーシング２３と、エアフィルタ２４と、ドレンパン２６と、水平フラップ２７と、垂直フラップ（図示せず）と、放電ユニット２９とを備えている。また、室内機２は、室内温度センサ３１と、室内湿度センサ３２と、ダクト用温度センサ３３と、ダクト用湿度センサ３４と、室内熱交換器温度センサ３５とを含む。
【００３９】
方向を説明する場合、図１及び図２に矢印で示されている向きに従って、「上」、「下」、「前」、「後」という表現を用いる。
【００４０】
（２−１−１）ケーシング２３
ケーシング２３は、上部に吸込口２３ａを有し、下部に吹出口２３ｂを有している。室内機２は、室内ファン２２を駆動して、室内の空気を吸込口２３ａから吸込み、室内熱交換器２１を通過した空気を吹出口２３ｂから吹き出す。
【００４１】
（２−１−２）室内ファン２２
室内ファン２２は、図２に示すように、ケーシング２３の中の略中央部分に配置されている。室内ファン２２は、例えば、クロスフローファンである。吸込口２３ａから吹出口２３ｂに向う空気流路において、室内ファン２２の上流に室内熱交換器２１が配置されている。
【００４２】
（２−１−３）室内熱交換器２１
室内熱交換器２１は、伝熱管２１ｂの延びる方向に見て、室内ファン２２の上方を覆うように、下に向って開いた形状である。ここでは、このような形状を略Λ形状と呼ぶ。室内熱交換器２１は、壁ＷＬから遠い第１熱交換部２１Ｆと壁ＷＬに近い第２熱交換部２１Ｒを有している。
【００４３】
略Λ形状を持つ室内熱交換器２１の前方下部及び後方下部の下に、ドレンパン２６が配置されている。室内熱交換器２１のうちの第１熱交換部２１Ｆで発生した結露は、室内熱交換器２１の前方下部に配置されているドレンパン２６で受け止められる。室内熱交換器２１のうちの第２熱交換部２１Ｒで発生した結露は、室内熱交換器２１の後方下部に配置されているドレンパン２６で受け止められる。
【００４４】
（２−１−４）水平フラップ２７
吹出口２３ｂには、水平フラップ２７及び垂直フラップが配置されている。水平フラップ２７は、吹出口２３ｂから吹出される空気の風向を上下に変更する。そのため、水平フラップ２７は、モータ２７ｍにより、水平方向とのなす角を変更することができるように構成されている。
【００４５】
垂直フラップは、吹出口２３ｂから吹出される空気の風向を左右に変更することができるように構成されている。室内空調システム１は、例えば、垂直フラップをモータ（図示せず）で前後方向とのなす角を変更するように駆動する。
【００４６】
（２−１−５）エアフィルタ２４
ケーシング２３の中の吸込口２３ａの下流且つ室内熱交換器２１の上流には、エアフィルタ２４が配置されている。室内熱交換器２１に供給される室内空気が実質的に全てエアフィルタ２４を通過するように、エアフィルタ２４は、ケーシング２３に設置されている。
【００４７】
したがって、エアフィルタ２４の網目よりも大きな塵埃は、エアフィルタ２４で除去されるので室内熱交換器２１には到達しない。しかし、エアフィルタ２４の網目よりも細かい塵埃及びオイルミストなど、エアフィルタ２４を通過するものは室内熱交換器２１に到達する。
【００４８】
（２−１−６）放電ユニット２９
放電ユニット２９は、内部に放電部を有して構成された活性種生成装置である。放電部は、例えば、針状電極と対向電極とを備え、高電圧を印加することによりプラズマ放電の一種であるストリーマ放電を発生させる。酸化分解力の高い活性種は、放電発生の際に生成される。これらの活性種には、例えば、高速電子、イオン、水酸化ラジカル及び励起酸素分子が含まれる。活性種は、例えば、アンモニア類、アルデヒド類、窒素酸化物等の小さな有機分子からなる空気中の有害成分及び臭気成分を分解する。放電ユニット２９は、例えば、エアフィルタ２４の上流、または室内熱交換器２１の上流に配置される。
【００４９】
（２−１−７）室内制御部８１
室内機２の中には、制御部８を構成している室内制御部８１が配置されている。図５に示されているように、室内制御部８１は、室内ファン２２のモータ２２ｍ、水平フラップ２７のモータ２７ｍ及び再熱除湿弁２８に接続されている。
【００５０】
室内制御部８１は、室内ファン２２のモータ２２ｍの回転数、水平フラップ２７のモータ２７ｍの回転角度及び再熱除湿弁２８のオンオフを制御することができる。
【００５１】
図６は、制御部８の構成を説明するためのブロック図である。図６において、室内制御部８１は、プロセッサ８１ａと、メモリ８１ｂとを含む。
【００５２】
プロセッサ８１ａは、メモリ８１ｂに記憶されている各運転の制御プログラムを読み取り、各機器に必要な指令を出力する。
【００５３】
メモリ８１ｂは、各運転の制御プログラムの他、室外制御部８６からの指示値を随時記憶する。
【００５４】
また、プロセッサ８１ａは、メモリ８１ｂに記憶されたデータまたは要求値を読み取り、必要な制御値を演算する。さらに、プロセッサ８１ａは、内部にタイマ８３を有している。
【００５５】
プロセッサ８１ａとして、ＣＰＵまたはＧＰＵが採用される。上記の記載は、一例であって、上記記載内容に限定されるものではない。
【００５６】
室内制御部８１は、図５に記載されている室内ファン２２のモータ２２ｍ、水平フラップ２７のモータ２７ｍ、再熱除湿弁２８の他、およびスピーカ８２とも接続されている。また、室内制御部８１は、室外機４の中に配置されている室外制御部８６とも接続されている。
【００５７】
室内制御部８１は、リモートコントローラ１５からの信号を受信して、リモートコントローラ１５から入力される指示を受け取る。リモートコントローラ１５は、表示画面１５ａを有している。
【００５８】
室内制御部８１は、リモートコントローラ１５の表示画面１５ａに種々の情報を表示することができる。室内制御部８１は、例えば、表示画面１５ａを使って、洗浄動作ができないことを報知することができる。
【００５９】
また、室内制御部８１は、スピーカ８２を介して洗浄動作ができないことを報知することもできる。
【００６０】
図３および図５には、室内機２が有するセンサのうち、室内温度センサ３１と、室内湿度センサ３２と、ダクト用温度センサ３３と、ダクト用湿度センサ３４と、室内熱交換器温度センサ３５が示されている。これらのセンサは、室内制御部８１に接続されている。
【００６１】
室内制御部８１は、室内温度センサ３１により室内の空気の温度を検知し、室内湿度センサ３２により室内の空気の相対湿度を検知する。
【００６２】
室内制御部８１は、ダクト用温度センサ３３により加湿機６から室内機２に吹出される空気の温度を検知し、ダクト用湿度センサ３４により加湿機６から室内機２に吹出される空気の相対湿度を検知する。
【００６３】
また、室内制御部８１は、室内熱交換器温度センサ３５により室内熱交換器２１の特定の場所を流れる冷媒の温度を検知できる。この特定の場所は、例えば室内熱交換器温度センサ３５が取り付けられている伝熱管２１ｂの箇所である。
【００６４】
（２−１−８）再熱除湿弁２８
図３に示されているように、室内熱交換器２１は、再熱除湿弁２８を有している。第１熱交換部２１Ｆと第２熱交換部２１Ｒは、再熱除湿弁２８を介して接続されている。
【００６５】
再熱除湿弁２８は、冷房運転、暖房運転、および弱冷房・除湿運転時には全開となり減圧することなく冷媒を流し、再熱除湿時には絞ることで冷媒を減圧する。
【００６６】
弁機構としては、弁本体内部に減圧手段を設けている場合と、弁と並列にキャピラリーチューブなどの減圧手段を配置している場合の２タイプがある。
【００６７】
（２−２）室外機４
室外機４は、室内機２に熱エネルギーを供給する熱源ユニットとして機能する。室外機４は、図３および図５に示されているように、圧縮機４１と四方弁４２とアキュムレータ４３と室外熱交換器４４と室外膨張弁４５と室外ファン４６とケーシング４７とを含む。
【００６８】
圧縮機４１と四方弁４２とアキュムレータ４３と室外熱交換器４４と室外膨張弁４５と室外ファン４６とは、ケーシング４７の中に収納されている。
【００６９】
（２−２−１）ケーシング４７
ケーシング４７は、室外の空気を吸い込む吸込口４７ａ（図３参照）と、熱交換後の空気を吹き出す吹出口４７ｂ（図１及び図３参照）とを有している。吸込口４７ａは、ケーシング４７の後側に配置されている。
【００７０】
（２−２−２）圧縮機４１
圧縮機４１は、ガス冷媒を吸入して圧縮して吐出する。圧縮機４１は、例えば、モータ４１ｍの運転周波数をインバータにより調整することで運転容量を変更することができる可変容量圧縮機である。運転周波数が大きいほど圧縮機４１の運転容量が大きくなる。
【００７１】
（２−２−３）四方弁４２
四方弁４２は、冷媒回路１３における冷媒の流れの向きを切り換える。四方弁４２は、４つのポートを有している。四方弁４２の第１ポートＰ１は、圧縮機４１の吐出口に接続されている。四方弁４２の第２ポートＰ２は、室外熱交換器４４の第１出入口４４ｘに接続されている。四方弁４２の第３ポートＰ３は、アキュムレータ４３に接続されている。四方弁４２の第４ポートＰ４は、室内熱交換器２１の第２出入口２１ｙに接続されている。
【００７２】
（２−２−４）アキュムレータ４３
アキュムレータ４３は、四方弁４２の第３ポートＰ３と圧縮機４１の吸入口との間に接続されている。アキュムレータ４３では、圧縮機４１に吸入される冷媒の気液分離が行われる。
【００７３】
（２−２−５）室外熱交換器４４
室外熱交換器４４は、第２出入口４４ｙを室外膨張弁４５の第１出入口４５ｘに接続している。室外熱交換器４４は、第１出入口４４ｘまたは第２出入口４４ｙから内部に流入した冷媒と、室外の空気との間で熱交換を行う。
【００７４】
（２−２−６）室外膨張弁４５
室外膨張弁４５は、第２出入口４５ｙを室内熱交換器２１の第１出入口２１ｘに接続している。
【００７５】
（２−２−７）室外制御部８６
室外機４の中には、制御部８を構成している室外制御部８６が配置されている。図６に示すように、室外制御部８６は、制御装置８６ａと、記憶装置８６ｂと、演算装置８６ｃを含む。
【００７６】
制御装置８６ａは、記憶装置８６ｂに記憶されている制御プログラムを読み取り、各機器に必要な指令を出力する。
【００７７】
記憶装置８６ｂは、各制御プログラムの他、室内制御部８１からの要求値を随時記憶する。
【００７８】
演算装置８６ｃは、制御装置８６ａの指令に従がって、記憶装置８６ｂに記憶されたデータまたは要求値を読み取り、必要な制御値を演算する。
【００７９】
制御装置８６ａ、演算装置８６ｃとして、ＣＰＵまたはＧＰＵといったプロセッサが採用される。上記の記載は、一例であって、上記記載内容に限定されるものではない。
【００８０】
室外制御部８６は、室内制御部８１と接続されている。また、室外制御部８６は、圧縮機４１のモータ４１ｍ、四方弁４２及び室外ファン４６のモータ４６ｍと接続されている。
【００８１】
室外制御部８６は、圧縮機４１のモータ４１ｍの運転周波数、四方弁４２の開度及び室外ファン４６のモータ４６ｍの回転数を制御することができる。
【００８２】
図３および図５には、室外機４が有するセンサのうち、外気温度センサ５１と、吐出管温度センサ５２と、室外熱交換器温度センサ５３とが示されている。これらのセンサは、室外制御部８６に接続されている。
【００８３】
室外制御部８６は、外気温度センサ５１により室外の空気の温度を検知することができる。また、制御部８は、吐出管温度センサ５２により吐出管（圧縮機４１の吐出口に接続された冷媒配管）を流れる冷媒の温度を検知でき、室外熱交換器温度センサ５３により室外熱交換器４４の特定の場所を流れる冷媒の温度を検知できる。
【００８４】
室外制御部８６は、冷凍サイクルの制御を行う際に、吐出管温度センサ５２、室外熱交換器温度センサ５３及び室内熱交換器温度センサ３５などにより冷媒回路１３の冷媒の状態を監視する。
【００８５】
冷媒回路１３には、圧縮機４１と、四方弁４２と、アキュムレータ４３と、室外熱交換器４４と、室外膨張弁４５と、室内熱交換器２１とが含まれている。冷媒回路１３には、冷媒が循環している。冷媒としては、例えば、Ｒ３２冷媒及びＲ４１０冷媒などのフロン類、並びに二酸化炭素などがある。
【００８６】
蒸気圧縮式冷凍サイクルでは、冷媒が圧縮機４１で圧縮されて昇温され、その後、室外熱交換器４４または室内熱交換器２１で冷媒が放熱する。また、蒸気圧縮式冷凍サイクルでは、室外膨張弁４５で冷媒が減圧膨張され、その後、室内熱交換器２１または室外熱交換器４４で冷媒が吸熱する。
【００８７】
（２−３）加湿機６
加湿機６は、室外機４と一体化されている。加湿機６は、室外の空気から水分を取り入れる。加湿機６は、取り入れた水分を室外の空気に付与することで高湿度の空気を生成する。加湿機６は、この高湿度の空気を室内機２に送る。
【００８８】
室内空調システム１は、加湿時に、室内機２において、加湿機６から送られてきた高湿度の空気と室内の空気とを混合する。室内機２は、高湿度の空気が混合された空気を部屋ＲＭの中（室内）に吹き出すことで、室内を加湿する。加湿機６は、制御部８により制御される。
【００８９】
加湿機６は、図４に示されているように、吸着ロータ６１と、ヒータ６２と、切換ダンパ６３と、吸排気ファン６４と、吸着ファン６５と、ダクト６６と、ケーシング６９とを備えている。また、加湿機６は、吸排気ホース６８を含む。
【００９０】
図１および図４に示されているように、加湿機６のケーシング６９は、室外機４のケーシング４７に取り付けられて一体化されている。ケーシング６９は、吸着用空気吹出口６９ａと吸着用空気取入口６９ｂと加湿用空気取入口６９ｃとを有している。
【００９１】
（２−３−１）吸着ロータ６１
吸着ロータ６１は、例えば、ハニカム構造を持つ円盤状のセラミックロータである。セラミックロータは、例えば、吸着剤を焼成することにより形成できる。吸着剤は、接触する空気中の水分を吸着する性質を有している。
【００９２】
また、吸着剤は、加熱されることによって吸着した水分を脱離するという性質を有している。このような吸着剤には、例えば、ゼオライト、シリカゲル及びアルミナがある。吸着ロータ６１は、モータ６１ｍにより駆動されて、回転する。吸着ロータ６１の回転数は、モータ６１ｍの回転数を変えることにより変更することができる。
【００９３】
（２−３−２）ヒータ６２
ヒータ６２は、加湿用空気取入口６９ｃと切換ダンパ６３との間に配置されている。加湿用空気取入口６９ｃから取り入れられた室外の空気は、ヒータ６２を通過した後、さらに吸着ロータ６１を通過して切換ダンパ６３に到達する。
【００９４】
ヒータ６２で加熱された空気が吸着ロータ６１を通過する際に、吸着ロータ６１から水分が脱離して、吸着ロータ６１から加熱された空気に水分が供給される。ヒータ６２は、出力を変化させることができ、ヒータ６２を通過した空気の温度を出力に応じて変化させることができる。
【００９５】
吸着ロータ６１は、特定の温度範囲内では、吸着ロータ６１を通過する空気の温度が高いほど脱離する水分量が多くなる傾向がある。
【００９６】
（２−３−３）切換ダンパ６３
切換ダンパ６３は、第１出入口６３ａと第２出入口６３ｂとを持っている。切換ダンパ６３は、吸排気ファン６４が駆動しているときに空気を吸い込む空気の入口を、第１出入口６３ａとするか又は第２出入口６３ｂとするかを切り換えることができる。
【００９７】
空気の入口を第１出入口６３ａとする場合には、図３に実線で示された矢印の向きに、室外の空気が、加湿用空気取入口６９ｃから、吸着ロータ６１、ヒータ６２、吸着ロータ６１、第１出入口６３ａ、吸排気ファン６４、第２出入口６３ｂ、ダクト６６、吸排気ホース６８、室内機２の順に流れる。
【００９８】
空気の入口を第２出入口６３ｂとするように切り換えると、逆に、図３に破線で示された矢印の向きに、室内機２から、吸排気ホース６８、ダクト６６、第２出入口６３ｂ、吸排気ファン６４、第１出入口６３ａ、吸着ロータ６１、ヒータ６２、吸着ロータ６１、加湿用空気取入口６９ｃの順に空気が流れる。切換ダンパ６３の切り換えは、モータ６３ｍにより行われる。
【００９９】
（２−３−４）吸排気ファン６４
吸排気ファン６４は、切換ダンパ６３の第１出入口６３ａと第２出入口６３ｂとの間に配置されている。吸排気ファン６４は、第１出入口６３ａから第２出入口６３ｂまたは第２出入口６３ｂから第１出入口６３ａに向う空気の流れを発生させる。吸排気ファン６４は、モータ６４ｍにより駆動される。
【０１００】
（２−３−５）吸着ファン６５
吸着ファン６５は、吸着用空気取入口６９ｂから吸着用空気吹出口６９ａに続く通路に配置されている。この通路には、吸着ロータ６１が掛かるように吸着ロータ６１が配置されている。
【０１０１】
吸着ファン６５により吸着用空気取入口６９ｂから吸着用空気吹出口６９ａに向う気流が発生すると、吸着ロータ６１を通過する室外の空気から吸着ロータ６１への水分の吸着が生じる。吸着ファン６５は、モータ６５ｍにより駆動される。
【０１０２】
吸着ロータ６１のモータ６１ｍ、切換ダンパ６３のモータ６３ｍ、吸排気ファン６４のモータ６４ｍ及びヒータ６２は、室外制御部８６に接続されている。
【０１０３】
室外制御部８６は、吸着ロータ６１の回転数、切換ダンパ６３の切り換え、吸排気ファン６４及び吸着ファン６５のオンオフ、及びヒータ６２の出力を制御することができる。
【０１０４】
（２−３−６）吸排気ホース６８
吸排気ホース６８は、一方端をダクト６６に接続し、他方端を室内機２に接続している。このような構成により、吸排気ホース６８と部屋ＲＭとは室内機２を介して連通している。
【０１０５】
（２−３−７）外気湿度センサ７１
図３および図５には、室内機２が備えるセンサのうち、外気湿度センサ７１が示されている。外気湿度センサ７１は、室外制御部８６に接続されている。室外制御部８６は、外気湿度センサ７１により室外の空気の相対湿度を検知することができる。
【０１０６】
（３）室内空調システム１の動作
（３−１）通常運転
室内空調システム１の通常運転には、例えば、冷房運転、暖房運転、除湿運転、加湿運転、送風運転、換気運転及び空気清浄運転がある。ここでは、通常運転が、洗浄運転以外の運転である。通常運転は、上述の冷房運転及び暖房運転などに限られるものではない。また、上述の通常運転では、暖房運転と加湿運転が組み合わされるなど、複数の運転が組み合わされることがある。
【０１０７】
（３−１−１）冷房運転
冷房運転の開始前に、制御部８には、例えば、リモートコントローラ１５から冷房運転が指示されるとともに目標温度が指示される。冷房運転時には、制御部８は、四方弁４２を、図３において実線で示されている状態に切り換える。
【０１０８】
冷房運転時には、四方弁４２は、第１ポートＰ１と第２ポートＰ２の間で冷媒を流し、第３ポートＰ３と第４ポートＰ４の間で冷媒を流す。冷房運転時の四方弁４２は、圧縮機４１から吐出される高温高圧のガス冷媒を室外熱交換器４４に流す。
【０１０９】
室外熱交換器４４では、冷媒と、室外ファン４６により供給される室外の空気との間で熱交換が行われる。室外熱交換器４４で冷やされた冷媒は、室外膨張弁４５で減圧されて室内熱交換器２１に流れ込む。
【０１１０】
室内熱交換器２１では、冷媒と室内ファン２２により供給される室内の空気との間で熱交換が行われる。室内熱交換器２１での熱交換により温められた冷媒は、四方弁４２及びアキュムレータ４３を経由して、圧縮機４１に吸入される。
【０１１１】
室内熱交換器２１で冷やされた室内の空気が室内機２から部屋ＲＭに吹出されることで、室内の冷房が行われる。
【０１１２】
この空気調和機１０では、冷房運転において、室内熱交換器２１が冷媒の蒸発器として機能して部屋ＲＭの中の室内空気を温め、室外熱交換器４４が冷媒の放熱器として機能する。
【０１１３】
（３−１−２）暖房運転
暖房運転の開始前に、制御部８には、例えば、リモートコントローラ１５から暖房運転が指示されるとともに目標温度が指示される。暖房運転時には、制御部８は、四方弁４２を、図３において破線で示されている状態に切り換える。
【０１１４】
暖房運転時に、四方弁４２は、第１ポートＰ１と第４ポートＰ４の間で冷媒を流し、第２ポートＰ２と第３ポートＰ３の間で冷媒を流す。暖房運転時の四方弁４２は、圧縮機４１から吐出される高温高圧のガス冷媒を室内熱交換器２１に流す。
【０１１５】
室内熱交換器２１では、冷媒と、室内ファン２２により供給される室内の空気との間で熱交換が行われる。室内熱交換器２１で冷やされた冷媒は、室外膨張弁４５で減圧されて室外熱交換器４４に流れ込む。
【０１１６】
室外熱交換器４４では、冷媒と室外ファン４６により供給される室内の空気との間で熱交換が行われる。室外熱交換器４４での熱交換により温められた冷媒は、四方弁４２及びアキュムレータ４３を経由して、圧縮機４１に吸入される。
【０１１７】
室内熱交換器２１で温められた室内の空気が室内機２から部屋ＲＭに吹出されることで、室内の暖房が行われる。
【０１１８】
この空気調和機１０では、暖房運転においては、室内熱交換器２１が冷媒の放熱器として機能して部屋ＲＭの中の室内空気を温め、室外熱交換器４４が冷媒の蒸発器として機能する。
【０１１９】
（３−１−３）除湿運転
除湿運転の開始前に、制御部８には、例えば、リモートコントローラ１５から除湿運転が指示される。ここでは、除湿運転において複数のモードを選択できる場合について説明する。
【０１２０】
制御部８には、リモートコントローラ１５から、第１除湿モードと第２除湿モードと第３除湿モードの中のどのモードを選択したかの情報が送信される。
【０１２１】
第１除湿モードでは、室内熱交換器２１の実質的に全部を蒸発域にする第１除湿運転が行われる。
【０１２２】
第２除湿モードでは、室内熱交換器２１の風上側の少なくとも一部を蒸発域にする一方、室内熱交換器２１の残りの部分を過熱域にする第２除湿運転が行われる。
【０１２３】
第３除湿モードでは、室内熱交換器２１において再熱除湿弁２８よりも上流側の部分を凝縮域とする一方、再熱除湿弁２８よりも下流側の部分を蒸発域とする第３除湿運転が行われる。
【０１２４】
除湿運転時には、制御部８は、四方弁４２を、図３において実線で示されている状態に切り換える。
【０１２５】
除湿運転時には、四方弁４２は、第１ポートＰ１と第２ポートＰ２の間で冷媒を流し、第３ポートＰ３と第４ポートＰ４の間で冷媒を流す。そのため、冷媒回路１３において、除湿運転時と冷房運転時とで、冷媒の流れる向きは同じになる。除湿運転の冷媒回路１３においても冷凍サイクルが実施される。
【０１２６】
（３−１−３−１）第１除湿運転
第１除湿運転では、冷媒が冷媒回路１３を循環するとき、制御部８は、再熱除湿弁２８を全開にし、圧縮機４１の運転周波数と室外膨張弁４５の開度とを調整する。第１除湿運転では、室内熱交換器２１の実質的に全部を蒸発域とする。
【０１２７】
これにより、第１除湿運転は、室内温度を変化させるための能力である顕熱能力が高くなる。
【０１２８】
ここで、室内熱交換器２１の実質的に全部を蒸発域にするとは、室内熱交換器２１の全部を蒸発域にするときだけでなく、室内熱交換器２１において一部を除いた部分だけを蒸発域にするときも含む。
【０１２９】
この一部(例えば、室内熱交換器２１の全容積の１／３以下の部分)だけが蒸発域とならないときとしては、例えば、室内環境などによって、室内熱交換器２１の冷媒出口近傍の部分が過熱域となるときなどがある。
【０１３０】
（３−１−３−２）第２除湿運転
第２除湿運転では、冷媒が冷媒回路１３を循環するとき、制御部８は、再熱除湿弁２８を全開にし、圧縮機４１の運転周波数と室外膨張弁４５の開度とを調整する。
【０１３１】
第２除湿運転では、第１熱交換部２１Ｆの風上側の少なくとも一部を蒸発域にする一方、第１熱交換部２１Ｆの残りの部分及び第２熱交換部２１Ｒを過熱域にする。
【０１３２】
制御部８は、第２除湿運転中、蒸発域が所定容積(例えば、室内熱交換器２１の全容積の２／３)以下となるように、圧縮機４１および室外膨張弁４５を制御する。
このとき、室外膨張弁４５の開度は、通常、第１除湿運転中の室外膨張弁４５の開度よりも小さくなる。
【０１３３】
第２除湿運転は、第１除湿運転によりも顕熱能力が低くなるので、室内の熱負荷が高くも低くもないとき、室温の低下を抑制しつつ、室内の除湿を行える。
【０１３４】
（３−１−３−３）第３除湿運転（再熱除湿運転）
第３除湿運転では、冷媒が冷媒回路１３を循環するとき、制御部８は、再熱除湿弁２８を閉じ、圧縮機４１の運転周波数を調整すると共に、室外膨張弁４５の開度を全開にする。
【０１３５】
第３除湿運転では、再熱除湿弁２８を閉じることで減圧する。
【０１３６】
第３除湿運転では、第１熱交換部２１Ｆを凝縮域にする一方、第２熱交換部２１Ｒを蒸発域にする。
【０１３７】
第３除湿運転は、第１熱交換部２１Ｆが凝縮域として機能するため、第２除湿運転よりも、室温の低下を抑制しつつ、室内の除湿を行える。
【０１３８】
（３−１−４）加湿運転
加湿運転の開始前に、制御部８には、例えば、リモートコントローラ１５から加湿運転が指示されるとともに目標湿度が指示される。加湿運転時には、制御部８が、圧縮機４１を停止させ、冷媒回路１３における冷凍サイクルを停止させる。ただし、加湿暖房運転では、冷媒回路１３における冷凍サイクルも加湿運転と同時に実施される。
【０１３９】
制御部８は、加湿運転の指示を受けると、まず、吸排気ホース６８を乾燥させるための第１乾燥動作を行うように加湿機６を制御する。
【０１４０】
第１乾燥動作では、制御部８は、吸着ファン６５及び吸着ロータ６１を停止させる。第１乾燥動作では、制御部８は、ヒータ６２に空気を加熱させ、第１出入口６３ａから第２出入口６３ｂに向う気流が生じるように切換ダンパ６３を切り換え、吸排気ファン６４を駆動する。
【０１４１】
加湿用空気取入口６９ｃから取り入れられた室外の空気は、ヒータ６２で加熱されて温度が上昇することで相対湿度が低下する。吸着ロータ６１が停止しているので、吸着ロータ６１を通過する空気への水分の供給が生じない。
【０１４２】
このように乾燥された空気が吸排気ファン６４によって吸排気ホース６８を通過することで、吸排気ホース６８の乾燥が行われる。制御部８は、例えば、タイマ８３で運転時間をカウントし、運転時間が所定時間に達すれば、第１乾燥動作を終了する。
【０１４３】
第１乾燥動作の終了後に加湿動作が開始される。第１乾燥動作が終了すると、制御部８は、吸着ファン６５を駆動させ且つ吸着ロータ６１を回転させるように制御する。吸着ファン６５の駆動によって吸着ロータ６１を室外の空気が通過することで、吸着ロータ６１には、室外の空気から水分が吸着する。
【０１４４】
水分が吸着した箇所は、吸着ロータ６１の回転によって、ヒータ６２によって加熱された空気が通過する場所に移動する。その結果、水分が吸着した箇所から加熱された空気へと水分の脱離が生じる。
【０１４５】
このようにして高湿度になった空気が、吸排気ファン６４により、吸排気ホース６８及び室内機２を通して部屋ＲＭに送られる。制御部８は、高湿度の空気を部屋ＲＭの中に吹出させるために、室内機２の室内ファン２２を駆動させる。
【０１４６】
（３−１−５）送風運転
送風運転の開始前に、制御部８には、例えば、リモートコントローラ１５から送風運転が指示される。送風運転時には、制御部８が、圧縮機４１を停止させ、冷媒回路１３における冷凍サイクルを停止させる。
【０１４７】
送風運転では、リモートコントローラ１５から目標風量が指示される場合と、室内機２に目標風量を自動で選択させる場合がある。制御部８は、目標風量になるように、室内ファン２２のモータ２２ｍを制御する。
【０１４８】
例えば、通常運転では、制御部８は、最も回転数の小さいＬＬタップから、Ｌタップ、Ｍタップ、Ｈタップの順に回転数を大きくすることができるように構成されている。
【０１４９】
（３−１−６）換気運転
換気運転の開始前に、制御部８には、例えば、リモートコントローラ１５から換気運転が指示される。換気運転時には、制御部８が、圧縮機４１を停止させ、冷媒回路１３における冷凍サイクルを停止させる。
【０１５０】
また、換気運転時には、加湿運転も停止される。加湿運転を停止するため、吸着ファン６５及び吸着ロータ６１の回転が停止される。換気運転では、制御部８は、吸排気ファン６４を駆動するようにモータ６４ｍを制御する。
【０１５１】
また、換気運転では、制御部８は、切換ダンパ６３を制御することにより、給気状態と排気状態とを切り換える。
【０１５２】
給気状態においては、室外の空気が、加湿用空気取入口６９ｃから取り入れられ、吸排気ホース６８及び室内機２を通して部屋ＲＭに吹出される。排気状態においては、室内の空気が、部屋ＲＭから室内機２及び吸排気ホース６８を通して加湿用空気取入口６９ｃから排気される。
【０１５３】
（３−１−７）空気清浄運転
第１実施形態の室内空調システム１は、放電ユニット２９を用いて空気清浄運転を行う。ここで、空気清浄運転とは、空気中の有害成分及び／または臭気成分を抑制する運転である。
【０１５４】
空気清浄運転は、例えば、ストリーマ放電の分解力で有害成分及び／または臭気成分を抑える運転である。
【０１５５】
（３−２）洗浄運転
図７は、室内空調システム１の動作を説明するためのフローチャートである。以下、洗浄運転を図７のフローチャートに沿って説明する。洗浄運転が開始される場合には、制御部８が洗浄運転を開始するように指示される場合（手動開始の場合）と、制御部８が洗浄運転の開始を自動的に判断する場合（自動開始の場合）がある。
【０１５６】
第１実施形態の室内空調システム１は、手動開始の場合と自動開始の場合の両方に対応する。しかし、室内空調システム１を、手動開始の場合と自動開始の場合のうちのいずれか一方に対応するように構成することもできる。
【０１５７】
（ステップＳ１）
制御部８は、ステップＳ１において、洗浄運転の指示の有無を判断する。制御部８は、洗浄運転の指示が有りと判断した場合、ステップＳ２へ進む。
【０１５８】
手動開始の場合として、例えば、リモートコントローラ１５の洗浄運転を指示するための洗浄運転開始ボタンが押される場合がある。
【０１５９】
また、制御部８は、洗浄運転の指示が無いと判断した場合ステップＳ１１へ進む。
【０１６０】
（ステップＳ２）
制御部８は、ステップＳ２において、洗浄運転を開始するために、水平フラップ２７を開いて所定の角度に固定するように、モータ２７ｍを制御する。水平フラップ２７の角度は、部屋ＲＭに人が居たとしても、人に直接室内機２から吹出される空気が当たらない角度が好ましい。
【０１６１】
また、制御部８は、ストリーマ放電を開始するように放電ユニット２９を制御する。ステップＳ２の処理前に、既に水平フラップ２７が開放されている場合にはそれを維持する。また、ステップＳ２の処理前に、既にストリーマ放電が開始されているときにはストリーマ放電を行っている状態を維持する。ストリーマ放電は、洗浄運転の終了によって終了する。
【０１６２】
洗浄運転でストリーマ放電を行う場合には、室内空調システム１は、室内熱交換器２１の清浄を行うことができる。ただし、放電ユニット２９の放電を停止して洗浄動作を行うように、室内空調システム１を構成することもできる。
【０１６３】
（ステップＳ３）
制御部８は、ステップＳ３において、部屋ＲＭの中の空気の湿度が所定湿度に達しているか否かを判断する。制御部８は、室内の湿度の値が所定値ＡＨ１である場合だけでなく、所定値ＡＨ１を超えている場合も、室内の湿度の値が所定値ＡＨ１（所定湿度）に達していると判断する。湿度は、絶対湿度を使用しても良いが、相対湿度で代用してもよい。相対湿度で代用する際は必要に応じて相対湿度の検出値を雰囲気温度に合わせて調整してもよい。
【０１６４】
制御部８は、室内温度センサ３１により室内の温度を検知し、室内湿度センサ３２により室内の相対湿度を検知する。湿度に絶対湿度を使用する場合は、制御部８は、室内温度センサ３１により検知した空気の温度の値ＭＴと、室内湿度センサ３２により検知した空気の相対湿度の値ＭＲＨとから、部屋ＲＭの中の空気の絶対湿度を算出することができる。
【０１６５】
制御部８は、室内の湿度が所定値ＡＨ１に達していると判断した場合、ステップＳ４に進む。
【０１６６】
制御部８は、室内の湿度が所定値ＡＨ１に達していないと判断した場合、ステップＳ３１に進む。
【０１６７】
（ステップＳ４）
次に、制御部８は、ステップＳ４において、洗浄動作を開始する。洗浄動作では、加湿機６は、加湿動作を停止している。洗浄動作では、空気調和機１０は、冷房運転または除湿運転と同じく、室内熱交換器２１を蒸発器として機能させる動作を行う。第１実施形態の室内空調システム１では、制御部８が、第１除湿運転と同じ動作を行うように空気調和機１０を制御する。
【０１６８】
制御部８は、洗浄運転の開始から、タイマ８３によりカウントを開始している。
【０１６９】
（ステップＳ５）
次に、制御部８は、ステップＳ５において、洗浄運転を開始してから所定時間ｔｔ２が経過したか否かを判断する。制御部８は、「洗浄運転を開始してから所定時間ｔｔ２が経過した」と判断した場合、第１除湿運転を終了して、ステップＳ６へ進む。
【０１７０】
制御部８は、「洗浄運転を開始してから所定時間ｔｔ２が経過していない」と判断した場合、ステップＳ４へ戻って、洗浄動作を継続する。
【０１７１】
（ステップＳ６）
制御部８は、ステップＳ６において、乾燥動作を行って洗浄運転を終了する。洗浄運転での乾燥動作は、通常運転の加湿運転の第１乾燥動作と同じ動作である。制御部８は、吸排気ホース６８を乾燥させるため、加湿機６の吸着ファン６５及び吸着ロータ６１を停止させる。
【０１７２】
また、制御部８は、加湿機６のヒータ６２に空気を加熱させ、第１出入口６３ａから第２出入口６３ｂに向う気流が生じるように切換ダンパ６３を切り換え、吸排気ファン６４を駆動する。
【０１７３】
（ステップＳ１１）
ステップＳ１からステップＳ６が動作のメインフローである。一方、先のステップＳ１において、制御部８が洗浄運転の指示が無いと判断した場合、制御部８は、ステップＳ１１において、洗浄運転を開始する条件が満たされたか否かを判断する。制御部８は、「洗浄運転を開始する条件が満たされている」と判断した場合、ステップＳ２へ進む。ステップＳ１１の洗浄運転への移行条件については、後の「（３−３）洗浄運転への移行条件」で説明する。
【０１７４】
また、制御部８は、「洗浄運転を開始する条件が満たされていない」と判断した場合、ステップＳ１に戻る。
【０１７５】
（ステップＳ３１）
また、先のステップＳ３において、制御部８が室内の湿度が所定値ＡＨ１に達していないと判断した場合、制御部８は、ステップＳ３１において、室内の温度に基づいて、第１加湿動作か第２加湿動作かを選択するために、室内温度センサ３１で検知された温度が所定温度Ｔ１以上であるか否かを判断する。
【０１７６】
この室内空調システム１の場合には、加湿機６による水分の供給には、２つの方法が設定されている。制御部８は、第１加湿動作及び第２加湿動作の中から適切な運転を選択する。
【０１７７】
第１加湿動作は、暖房と同時に加湿をする運転である。第１加湿動作では、制御部８は、空気調和機１０による部屋ＲＭに対する暖房動作と加湿機６による部屋ＲＭに対する加湿動作とを同時に行うように、空気調和機１０と加湿機６とを制御する。
【０１７８】
第２加湿動作は、第１加湿動作における暖房動作を止めて加湿動作だけをする運転である。第２加湿動作では、制御部８は、加湿機６の加湿動作によって部屋ＲＭに対する加湿を行うように、空気調和機１０と加湿機６とを制御する。第２加湿動作では、暖房動作は行われないが、室内機２から部屋ＲＭに高湿度の空気を送るため、空気調和機１０による送風動作が行われる。
【０１７９】
（ステップＳ３２Ａ）
先のステップＳ３１において、制御部８が「室内温度センサ３１で検知された温度が所定温度Ｔ１以上ではない」と判断した場合、制御部８はステップＳ３２Ａにおいて、上述の第１加湿動作を行う。
【０１８０】
（ステップＳ３２Ｂ）
先のステップＳ３１において、制御部８が「室内温度センサ３１で検知された温度が所定温度Ｔ１以上である」と判断した場合、制御部８はステップＳ３２Ｂにおいて、上述の第２加湿動作を行う。
【０１８１】
第１加湿動作でも、第２加湿動作でも、加湿機６による加湿の動作が行われる。第１加湿動作及び第２加湿動作で行われる加湿動作は、通常運転の加湿運転で行われる加湿機６の加湿動作と同じである。
【０１８２】
ただし、第１加湿動作及び第２加湿動作で行われる加湿動作では、通常運転の加湿運転で出現する加湿能力の最大値以上になるように設定されている。洗浄運転では、部屋ＲＭの快適性を重要視しておらず、むしろ、洗浄運転を速く終了することを優先している。
【０１８３】
そのため、洗浄運転では、室内の湿度が所定値ＡＨ１に早く到達するように、通常運転の加湿運転で出現する加湿能力の最大値以上で、第１加湿動作または第２加湿動作が行われる。
【０１８４】
例えば、通常運転の加湿運転の加湿能力が低い方から順に、Ｌタップ、Ｍタップ、Ｈタップと設定されている場合には、第１加湿動作及び第２加湿動作では、Ｈタップが選択される。
【０１８５】
第１加湿動作では、制御部８は、加湿動作と同時に暖房動作をするように、加湿機６とともに空気調和機１０を制御する。制御部８は、洗浄運転のために予め設定されている目標温度になるように空気調和機１０を制御する。
【０１８６】
洗浄運転で空気調和機１０が行う暖房動作は、通常運転の暖房運転での空気調和機１０の動作と同じであるので、ここでは説明を省略する。
【０１８７】
（ステップＳ３３）
次に、制御部８は、第１加湿動作、および２加湿動作のいずれの動作であっても、ステップＳ３３において、加湿の開始から所定時間ｔｔ１が経過したか否かを制御部８が判断する。
【０１８８】
制御部８は、所定時間ｔｔ１が経過していないと判断した場合、ステップＳ３に戻って、室内の湿度が所定値ＡＨ１に達するまで、第１加湿動作または第２加湿動作を継続する。
【０１８９】
制御部８は、所定時間ｔｔ１が経過していると判断した場合、ステップＳ３４へ進む。
【０１９０】
（ステップＳ３４）
先のステップＳ３３において、制御部８が「所定時間ｔｔ１が経過している」と判断した場合、制御部８は、ステップＳ３４において、異常を報知してステップＳ６へ戻る。
【０１９１】
図８は、通常運転の加湿運転と洗浄運転を比較するためのタイミングチャートである。図８において、時刻ｔ１０に同時に運転を始まることを想定して、洗浄運転と通常運転の加湿運転を比較する。
【０１９２】
洗浄運転では、加湿動作の前には吸排気ホース６８を乾燥するための動作がないため、加湿動作を直ぐに始められる（時刻ｔ１０）。洗浄運転では、通常運転の第１乾燥動作が続いている時刻ｔ１１に加湿動作を終えて洗浄動作に移ることができる。
【０１９３】
図８に示されている例では、通常運転の加湿運転の第１乾燥動作が終わる時刻ｔ１２には、洗浄運転の洗浄動作が終了している。図８に示されている例では、通常運転の加湿動作が終了する時刻ｔ１３には、洗浄運転の終了時の乾燥動作を終えることができている。
【０１９４】
（３−３）洗浄運転への移行条件
室内空調システム１は、制御部８が、図７のステップＳ１１において、自動的に、洗浄運転へ移行するか否かの判断を行う。
【０１９５】
図９は、洗浄運転に自動的に移行する際の制御部の動作例を示すフローチャートである。洗浄運転の移行条件を判断するための制御部８の処理について、図９に沿って説明する。
【０１９６】
（ステップＳ４１）
制御部８は、ステップＳ４１において、運転モードが洗浄運転以外の運転か否かの判断を行う。制御部８は、「運転モードが洗浄運転以外の運転でない（運転モードが洗浄運転である）」と判断した場合は、ステップＳ４８へ進み、積算駆動時間をリセットする。
【０１９７】
制御部８は、「運転モードが洗浄運転以外の運転である」と判断場合には、制御部８は、ステップＳ４２へ進む。
【０１９８】
（ステップＳ４２）
次に、制御部８は、ステップＳ４２において、運転モードが冷房運転および除湿運転以外の運転であるか否かの判断を行う。制御部８は、「室内空調システム１が冷房運転および除湿運転以外の運転を行っている」と判断した場合、言い換えれば、室内空調システム１が暖房運転、加湿運転、送風運転、換気運転または空気清浄運転を行っている場合には、ステップＳ４３に進む。
【０１９９】
また、制御部８は、「室内空調システム１が冷房運転および除湿運転以外の運転を行っている」と判断しない場合、ステップＳ４３１へ進む。
【０２００】
（ステップＳ４３）
制御部８は、ステップＳ４３において、室内ファン２２の駆動時間をカウントする。
【０２０１】
室内ファン２２の駆動時間のカウントは、例えば、タイマ８３を用いてプロセッサ８１ａが行う。プロセッサ８１ａは、カウントした駆動時間をメモリ８１ｂに記憶させる。現在の運転が終了するまで、室内ファン２２の駆動時間のカウントが行われる。
【０２０２】
例えば、暖房運転中であっても、部屋ＲＭの温度が目標温度に達していて、圧縮機４１及び室内ファン２２などが停止しているときは、室内ファン２２の駆動時間のカウントを行わない。
【０２０３】
室内ファン２２の駆動時間のカウントが行われるのは、第１駆動時間と第２駆動時間である。第１駆動時間は、室内機２の暖房運転（暖房加湿運転を含む）のときの室内ファン２２の駆動時間である。
【０２０４】
第２駆動時間は、加湿運転（暖房加湿運転を除く）、送風運転、換気運転及び空気清浄運転のときの室内ファン２２の駆動時間である。
【０２０５】
（ステップＳ４３１）
一方、先のステップＳ４２において、制御部８が室内空調システム１が「冷房運転または除湿運転以外の運転を行っている」と判断しない場合、言い換えれば、室内空調システム１が冷房運転または除湿運転を行っている場合には、このステップＳ４３１において、冷房運転または除湿運転の運転時間が所定時間ｔｔ３以上になっているか否かの判断を行う。
【０２０６】
冷房運転または除湿運転の運転時間は、例えば、タイマ８３を用いてプロセッサ８１ａがカウントする。プロセッサ８１ａは、カウントした運転時間をメモリ８１ｂに記憶させる。
【０２０７】
制御部８は、「冷房運転または除湿運転の運転時間が所定時間ｔｔ３以上である」と判断した場合、制御部８は、ステップＳ４８に進み、室内ファン２２の積算駆動時間をリセットする。制御部８は、室内熱交換器２１で結露を生じる室内機２の冷房運転または除湿運転をした場合に、積算駆動時間をリセットする。
【０２０８】
また、制御部８は、冷房運転および除湿運転の運転時間が所定時間ｔｔ３未満であると判断した場合、制御部８は、室内ファン２２の駆動時間のカウントを行わずに、ステップＳ４４へ進む。
【０２０９】
（ステップＳ４４）
制御部８は、ステップＳ４４において、現在の運転が終了したか否かを判断する。言い換えると、制御部８は、通常運転で室内機２が室内熱交換器２１で結露を生じる運転をしているときの室内ファン２２の駆動時間を、積算駆動時間に算入しない制御をする。
【０２１０】
制御部８は、現在の運転が終了したと判断した場合、制御部８は、ステップＳ４５へ進む。
【０２１１】
（ステップＳ４５）
制御部８は、ステップＳ４５において、室内ファン２２の積算駆動時間を算出する。制御部８は、メモリ８１ｂに記憶されている駆動時間を積算して積算駆動時間を算出する。
【０２１２】
ここでは、暖房運転、加湿運転、送風運転、換気運転及び空気清浄運転の室内ファン２２の各駆動時間を合計して積算駆動時間を算出する。しかし、積算駆動時間の算出方法は、単に各運転の駆動時間を合計する方法に限られない。例えば、運転の種類ごとに重み付けを行って積算駆動時間を算出するように、制御部８を構成することもできる。
【０２１３】
（ステップＳ４６）
制御部８は、ステップＳ４６において、積算駆動時間が所定駆動時間ＣＴ１以上になっているか否かを判断する。制御部８は、「積算駆動時間が所定駆動時間ＣＴ１以上になっていると判断した場合、制御部８は、ステップＳ４７に進む。
【０２１４】
図９のステップＳ４７の判断は、図７のステップＳ１１の判断の一例である。ここでは、積算駆動時間が所定駆動時間ＣＴ１以上になっていれば、洗浄運転への移行条件が満たされたと判断している。
【０２１５】
しかし、洗浄運転への移行条件は、積算駆動時間が所定駆動時間ＣＴ１以上になっていることに限らなくてもよい。洗浄運転への移行条件として、例えば、通常運転が停止されているという条件が加えられてもよい。
【０２１６】
制御部８は、「積算駆動時間が所定駆動時間ＣＴ１未満であると判断した場合、ステップＳ４１に戻って、積算駆動時間の積算のためのステップを繰り返す。
【０２１７】
（ステップＳ４７）
制御部８は、ステップＳ４７において、洗浄運転への移行条件が満たされたことを示すフラグをたて、メモリ８１ｂに記憶する。
【０２１８】
（ステップＳ４８）
制御部８は、ステップＳ４８において、積算駆動時間をリセットする。
【０２１９】
（ステップＳ４９）
制御部８は、ステップＳ４９において、室内空調システム１が停止していなければ、ステップＳ４１に戻って、積算駆動時間の積算のためのステップを繰り返す。
【０２２０】
洗浄運転の場合には、ステップＳ４１、ステップＳ４８およびステップＳ４９を繰り返すので、たとえ室内ファン２２が駆動されても積算駆動時間はカウントされない。
【０２２１】
（３−４）洗浄運転における空気調和機１０の加湿機制御
第１加湿動作でも、第２加湿動作でも、加湿機６による加湿の動作が行われる。第１加湿動作および第２加湿動作で行われる加湿動作は、通常運転の加湿運転で出現する加湿能力の最大値以上になるように設定されている。
【０２２２】
図１０Ａは、洗浄運転における空気調和機１０の加湿機制御の動作フローチャートである。図１０Ａにおいて、ステップＳ３２１以降のフローは、図７のステップＳ３２ＡおよびステップＳ３２Ｂの内部で行われている制御部８の制御動作を示している。
【０２２３】
（ステップＳ３２１）
制御部８は、ステップＳ３２１において、加湿機６の加湿運転開始指令の有無を判断する。制御部８は、加湿機６の加湿運転開始指令が有るときは、ステップＳ３２２へ進む。
【０２２４】
（ステップＳ３２２）
制御部８は、ステップＳ３２２において、加湿機６の運転を開始する。加湿機６の加湿能力は低い方から順に、Ｌタップ、Ｍタップ、Ｈタップと設定されており、洗浄運転時における第１加湿動作および第２加湿動作では、Ｈタップが選択される。
【０２２５】
（ステップＳ３２３）
制御部８は、ステップＳ３２３において、加湿機６の加湿能力を低下させる操作が為された否かを判断する。加湿機６の加湿能力を低下させる操作には、加湿機６の運転を停止させる操作も含まれる。第１実施形態の場合、空気調和機１０と加湿機６とが一体であるので、加湿機６の加湿能力を低下させる操作は、リモートコントローラ１５を介して行われる。
【０２２６】
制御部８は、加湿機６の加湿能力を低下させる操作が為されたと判断した場合、ステップＳ３２４へ進む。また、制御部８は、加湿機６の加湿能力を低下させる操作が為されたと判断しない場合、ステップＳ３２６へ進む。
【０２２７】
（ステップＳ３２４）
制御部８は、ステップＳ３２４において、加湿機６の加湿能力を低下させる操作をキャンセルする。例えば、ユーザーが、空気調和機１０で室内熱交換器２１の洗浄運転が行われていることに気付かずに、リモートコントローラ１５を介して、加湿機６の加湿能力をＨタップからＬタップに低下させる操作、或いは加湿機６の運転を停止する操作をした場合、制御部８はその操作に係る要求を受け付けず無視する。
【０２２８】
（ステップＳ３２５）
制御部８は、ステップＳ３２５において、「洗浄運転中であり、洗浄運転と加湿機１０６の加湿運転とが連動しており、加湿機６の加湿能力を元の状態に回復させる必要がある」ことを、リモートコントローラ１５の表示画面１５ａまたはスピーカ８２を介して報知する。これは、ユーザーがリモートコントローラ１５の操作が効かないと誤認することを回避するためである。
【０２２９】
ステップＳ３２４およびステップＳ３２５の実行順序は逆になってもよい。
【０２３０】
（ステップＳ３２６）
制御部８は、ステップＳ３２６において、洗浄運転の停止指令の有無を判断する。ユーザーが、洗浄運転を停止したい場合もあるので、かかる場合、洗浄運転の加湿動作中であっても強制的に終了する必要があるからである。
【０２３１】
制御部８は、洗浄運転の停止指令があるときは、図７のステップＳ６へ進む。制御部８は、洗浄運転の停止を、スマートフォンなどの通信端末２３０、またはリモートコントローラ１５を介して報知してもよい。
【０２３２】
また、制御部８は、洗浄運転の停止指令がないときは、図７のステップＳ３３へ進む。
【０２３３】
以上のように、図７のステップＳ３２Ａの第１加湿動作、およびステップＳ３２Ｂの第２加湿動作では、ステップＳ３２１〜ステップＳ３２６の制御が実行され、加湿機６の加湿能力の低下を抑制している。
【０２３４】
図１０ＡのフローチャートのステップＳ３２４では、加湿機６の加湿能力を低下させる操作をキャンセルしているが、これに限定するものではない。
【０２３５】
図１０Ｂは、洗浄運転における空気調和機１０の加湿機制御の別の動作フローチャートである。
【０２３６】
図１０Ｂにおいて、図１０Ａと図１０Ｂとの違いは、図１０ＡのステップＳ３２４がステップＳ３２４´に置き換わっている。
【０２３７】
制御部８は、ステップＳ３２４´において、加湿機６の加湿能力を低下させる操作が行われる直前の加湿能力（以後、「元の加湿能力」という。）に回復させる。
【０２３８】
例えば、ユーザーが、空気調和機１０で室内熱交換器２１の洗浄運転が行われていることに気付かずに、リモートコントローラ１５を介して、加湿機６の運転を停止する操作、或いは加湿機６の加湿能力をＨタップからＬタップに低下させる操作をした場合、制御部８は、一旦は、その操作を受け付けるが、ほぼ同時に加湿機６の加湿運転を再開し、或いはタップをＨタップに戻して、元の加湿能力を回復させる。他のステップについては、図１０Ａと同じであるので、説明を省略する。
【０２３９】
＜第２実施形態＞
（１）全体構成
上記第１実施形態では、空気調和機１０と加湿機６が一体である場合について説明したが、空気調和機１０と加湿機が別体であってもよい。
【０２４０】
図１１は、第２実施形態に係る室内空調システム１の構成の一例を示す概念図である。図１１において、室内空調システム１では、空気調和機１０と、空気清浄機能付き加湿機１０６（以後、加湿機１０６という。）が、別体になっている。加湿機１０６が、第１実施形態の加湿機６に相当する。加湿機１０６は、部屋ＲＭに設置され、換気運転を行うことはできない構成になっている。
【０２４１】
図１１に示されているように、空気調和機１０の室内機２と加湿機１０６とは、無線ＬＡＮルータ２１０を介して接続されている。室内機２の室内制御部８１には無線ＬＡＮアダプタ８５が接続されている。
【０２４２】
ここでは、無線ＬＡＮアダプタ８５が室内機２に外付けされている場合が示されている。しかし、無線ＬＡＮアダプタ８５が室内機２に内蔵されてもよい。加湿機１０６の加湿機制御部８９には、無線ＬＡＮアダプタの機能が内蔵されている。
【０２４３】
図１４は、図１１の室内空調システム１の構成を説明するためのブロック図である。図１１および図１４において、空気調和機１０と加湿機１０６とからなる室内空調システム１は、制御部８を備えている。洗浄運転が行われるとき、加湿機１０６は、無線ＬＡＮルータ２１０及び無線ＬＡＮアダプタ８５を介して、室内制御部８１から動作を指示される。
【０２４４】
制御部８は、室内制御部８１と、室外制御部８６と、加湿機制御部８９とを有している。室内制御部８１による室内機２の制御および室外制御部８６による室外機４の制御は、第１実施形態で説明しているので、ここでは説明を省略する。
【０２４５】
図１１に示されているように、室内空調システム１は、スマートフォンなどの通信端末２３０を用いて、空気調和機１０および加湿機１０６に指示することができる。例えば、スマートフォンなどの通信端末２３０から出力される指示は、無線ＬＡＮルータ２１０を介してまたはインターネット２４０とブロードバンドルータ２２０と無線ＬＡＮルータ２１０を介して、空気調和機１０および加湿機１０６に送信される。
【０２４６】
（２）加湿機１０６の構成
図１２は、図１１の加湿機１０６の構成例を示す分解斜視図である。図１２において、加湿機１０６は、ケーシング１１０と、プレフィルタ１２１と、集塵フィルタ１２２と、脱臭フィルタ１２３と、送風ファン１３０と、加湿フィルタユニット１４０と、水トレー１５０と、水タンク１６０とを備えている。ケーシング１１０は、本体部１１１と前面パネル１１２とを含んでいる。
【０２４７】
図１３は、図１１の加湿機１０６の外観を示す斜視図である。図１３において、加湿機１０６は、前面パネル１１２と本体部１１１との境界に吸込口１１３を有している。吸込口１１３は、前面パネル１１２の下部と両サイドに設けられている。吹出口１１４は、本体部１１１の上部に設けられている。
【０２４８】
図１４は、図１１の室内空調システム１の構成を説明するためのブロック図である。図１１、図１２、図１３および図１４において、送風ファン１３０が駆動されると、吸込口１１３から吸い込まれた室内の空気は、プレフィルタ１２１、集塵フィルタ１２２、脱臭フィルタ１２３及び加湿フィルタユニット１４０を通過して、吹出口１１４から吹出される。
【０２４９】
本体部１１１の天面には、操作パネル１１５が設けられている。操作パネル１１５には、複数の操作ボタンが設けられている。
【０２５０】
プレフィルタ１２１は、通過する空気から、主に大きな塵埃を取り除く。集塵フィルタ１２２は、通過する空気から、主に微細な塵埃を取り除く。脱臭フィルタ１２３は、例えば、活性炭を含んでいる。脱臭フィルタ１２３は、通過する空気から、主に臭い成分を除去する。
【０２５１】
加湿フィルタユニット１４０は、加湿フィルタ１４２を含む加湿ロータ１４１を有している。加湿ロータ１４１は、モータ１４３（図１４参照）により回転させられる。加湿フィルタ１４２は、加湿ロータ１４１とともに回転することにより、水トレー１５０に溜められている水の供給を受ける。
【０２５２】
水の供給を受けた加湿フィルタ１４２は、通過する空気に対して水分を供給する。モータ１４３が停止して加湿ロータ１４１の回転が止まると、加湿フィルタユニット１４０は加湿を停止する。
【０２５３】
水トレー１５０は、水タンク１６０から水の供給を受けることにより、加湿フィルタ１４２に供給する水の補充を行う。水タンク１６０には、利用者が水を補給する。
【０２５４】
制御部８は、加湿機制御部８９を介して、モータ１４３を制御することができる。従って、制御部８は、モータ１４３をオンすることにより加湿機１０６に加湿動作を行わせ、モータ１４３をオフすることにより加湿機１０６に加湿動作を停止させることができる。
【０２５５】
加湿機１０６は、図１４に示されているように、室内温度センサ１７１と室内湿度センサ１７２と給水センサ１７３とを備えている。室内温度センサ１７１と室内湿度センサ１７２と給水センサ１７３とは、加湿機制御部８９に接続されている。
【０２５６】
従って、制御部８は、加湿機制御部８９を介して、室内温度センサ１７１と室内湿度センサ１７２により、室内空気の温度と相対湿度とを検知することができる。第１実施形態の制御部８は、制御に室内温度センサ３１と室内湿度センサ３２を用いている。第２実施形態の制御部８は、制御に室内温度センサ３１と室内湿度センサ３２若しくは室内温度センサ１７１と室内湿度センサ１７２を用いてもよい。
【０２５７】
第２実施形態の制御部８は、制御に、例えば室内温度センサ３１，１７１の平均値を室内空気の温度として用いるなど、両センサを同時に用いてもよい。また、第２実施形態の制御部８は、制御に、例えば室内湿度センサ３２，１７２の平均値を室内空気の相対湿度として用いるなど、両センサを同時に用いてもよい。
【０２５８】
（３）室内空調システム１の洗浄運転
室内空調システム１の洗浄運転は、加湿機６に替えて加湿機１０６を用いるという相違点を除いて、第１実施形態の室内空調システム１の洗浄運転と同様に構成することができる。したがって、図７および図９に示すフローチャートに沿って制御が行われる。
【０２５９】
室内空調システム１は、加湿機１０６を用いて、洗浄運転を行う。室内空調システム１では、加湿機１０６が室内の空気を吸込口１１３から吸込み、室内の空気に水分を付与して吹出口１１４から部屋ＲＭの中に吹き出す。
【０２６０】
したがって、室内空調システム１は、空気調和機１０と加湿機１０６を用いて第１加湿動作を行う。第１加湿動作において、制御部８は、空気調和機１０に部屋ＲＭの暖房運転を行わせ、同時に加湿機１０６に部屋ＲＭに対する加湿を行わせる。室内空調システム１の第２加湿動作では、制御部８が、空気調和機１０の運転を停止させ、加湿機１０６に加湿を行わせる。
【０２６１】
（３−１）加湿機制御
第１加湿動作および第２加湿動作では、図１０Ｂに示すフローチャートに沿って加湿機１０６を制御することが望ましい。なぜなら、第２実施形態では、空気調和機１０と加湿機１０６が別体であるので、ユーザーが直接、加湿機１０６の電源をオフし、或いは、タップをＨタップからＬタップに変えた場合、その操作を図１０Ａの示すフローチャートのステップＳ３２４のような「加湿機１０６の加湿能力を低下させる操作をキャンセルする」を実行することは、容易ではないからである。
【０２６２】
図１０Ｂに示すフローチャートに沿って加湿機１０６を制御する場合において、洗浄運転において、吸排気ホース６８を乾燥させるステップＳ６（図７参照）を省くことができる。
【０２６３】
なぜなら、室内空調システム１は、加湿機１０６を部屋ＲＭの中に置いているので、壁ＷＬを通過する吸排気ホース６８を備える必要がなくなるからである。
【０２６４】
（３−２）操作制限機能が備わっている場合の加湿機制御
加湿機１０６に、操作制限機能が備わっている場合には、制御部８が、能力低下抑制措置として、加湿機１０６の操作制限機能を遠隔操作で有効にしてもよい。
【０２６５】
図１５は、加湿機１０６が操作制限機能を有する場合の、洗浄運転における空気調和機１０の加湿機制御の動作フローチャートである。
【０２６６】
（ステップＳ４２１）
図７に示されるステップＳ３１において、制御部８が「室内温度センサ３１で検知された温度が所定温度Ｔ１以上ではない」と判断した場合、制御部８は、ステップＳ４２１において、加湿機１０６の加湿運転開始指令の有無を判断する。制御部８は、加湿機１０６の加湿運転開始指令が有るときは、ステップＳ４２２へ進む。
【０２６７】
（ステップＳ４２２）
制御部８は、ステップＳ４２２において、加湿機１０６の運転を開始する。加湿機１０６の加湿能力は低い方から順に、Ｌタップ、Ｍタップ、Ｈタップと設定されており、洗浄運転時における第１加湿動作および第２加湿動作では、Ｈタップが選択される。
【０２６８】
（ステップＳ４２３）
制御部８は、ステップＳ４２２において、加湿機１０６の操作制限機能を有効にする。操作制限機能とは、加湿機１０６の所定操作以外の入力をキャンセルする機能である。
【０２６９】
ここで、所定操作とは、加湿機１０６の操作パネル１１５に設けられた複数のボタンのうち、特定のボタン（ここでは、第１ボタン１１６という。）を「長押し」する操作、或いは、第１ボタン１１６を「２回押し」する操作であり、ユーザーが通常では行わない操作を言う。
【０２７０】
したがって、操作制限機能が有効になっているときは、加湿機１０６の電源をオフする操作、およびタップをＨタップよりも低いタップに換える操作に係る入力はキャンセルされる。
【０２７１】
（ステップＳ４２４）
制御部８は、ステップＳ４２３において、加湿機１０６の加湿能力を低下させる操作が為された否かを判断する。加湿機１０６の加湿能力を低下させる操作には、加湿機１０６の運転を停止させる操作も含まれる。
【０２７２】
制御部８は、加湿機１０６の加湿能力を低下させる操作が為されたと判断した場合、ステップＳ４２５へ進む。また、制御部８は、加湿機１０６の加湿能力を低下させる操作が為されたと判断しない場合、ステップＳ４２６へ進む。
【０２７３】
（ステップＳ４２５）
制御部８は、ステップＳ４２５において、「洗浄運転中であり、洗浄運転と加湿機１０６の加湿運転とが連動しており、加湿機１０６の加湿能力を元の状態に回復させる必要がある」ことを、リモートコントローラ１５の表示画面１５ａまたはスピーカ８２を介して報知する。これは、ユーザーが加湿機１０６の操作が効かないと誤認することを回避するためである。
【０２７４】
ステップＳ４２４およびステップＳ４２５の実行順序は逆になってもよい。
【０２７５】
（ステップＳ４２６）
制御部８は、ステップＳ４２６において、洗浄運転の停止指令の有無を判断する。ユーザーが、洗浄運転を停止したい場合もあるので、かかる場合、洗浄運転の加湿動作中であっても強制的に終了する必要があるからである。
【０２７６】
制御部８は、洗浄運転の停止指令があるときは、ステップＳ４２７へ進む。また、制御部８は、洗浄運転の停止指令がないときは、図７のステップＳ３３へ進む。
【０２７７】
（ステップＳ４２７）
制御部８は、ステップＳ４２７において、洗浄運転を停止する。制御部８は、洗浄運転の停止を、スマートフォンなどの通信端末２３０、またはリモートコントローラ１５を介して報知してもよい。
【０２７８】
以上のように、図７のステップＳ３２Ａの第１加湿動作、およびステップＳ３２Ｂの第２加湿動作では、ステップＳ３２１〜ステップＳ３２６の制御が実行され、加湿機１０６の加湿能力の低下を抑制している。
【０２７９】
（３−３）加湿機１０６を遠隔操作しない場合
制御部８は、ユーザーによる加湿機１０６の加湿能力を低下させる操作をキャンセルすること、加湿能力を元の状態に回復させること、或いは操作制限機能を有効にすることができるけれども、あえて、加湿能力を元の状態に回復させるか否かをユーザーの判断に任せることも可能である。
【０２８０】
図１６は、洗浄運転における空気調和機１０の加湿機制御の別の動作フローチャートである。図１６において、ステップＳ５２１以降のフローは、図７のステップＳ３２ＡおよびステップＳ３２Ｂの内部で行われている制御部８の制御動作を示している。
【０２８１】
（ステップＳ５２１）
制御部８は、ステップＳ５２１において、加湿機１０６の加湿運転開始指令の有無を判断する。制御部８は、加湿機１０６の加湿運転開始指令が有るときは、ステップＳ５２２へ進む。
【０２８２】
（ステップＳ５２２）
制御部８は、ステップＳ５２２において、加湿機１０６の運転を開始する。加湿機１０６の加湿能力は低い方から順に、Ｌタップ、Ｍタップ、Ｈタップと設定されており、洗浄運転時における第１加湿動作および第２加湿動作では、Ｈタップが選択される。
【０２８３】
（ステップＳ５２３）
制御部８は、ステップＳ５２３において、加湿機１０６の加湿能力を低下させる操作が為された否かを判断する。加湿機１０６の加湿能力を低下させる操作には、加湿機１０６の運転を停止させる操作も含まれる。
【０２８４】
制御部８は、加湿機６の加湿能力を低下させる操作が為されたと判断した場合、ステップＳ５２４へ進む。また、制御部８は、加湿機６の加湿能力を低下させる操作が為されたと判断しない場合、ステップＳ５２５へ進む。
【０２８５】
（ステップＳ５２４）
制御部８は、ステップＳ５２４において、「洗浄運転中であり、洗浄運転と加湿機１０６の加湿運転とが連動しており、加湿機１０６の加湿能力を元の状態に回復させる必要がある」ことを、リモートコントローラ１５の表示画面１５ａまたはスピーカ８２を介して報知する。例えば、ユーザーが、空気調和機１０で室内熱交換器２１の洗浄運転が行われていることに気付かずに、加湿機６の加湿能力をＨタップからＬタップに低下させる操作、或いは加湿機６の運転を停止する操作をした場合、制御部８はリモートコントローラ１５の表示画面１５ａまたはスピーカ８２を介して、加湿能力の回復を促す。
【０２８６】
（ステップＳ５２５）
制御部８は、ステップＳ５２５において、洗浄運転の停止指令の有無を判断する。ユーザーが、洗浄運転を停止したい場合もあるので、かかる場合、洗浄運転の加湿動作中であっても強制的に終了する必要があるからである。
【０２８７】
制御部８は、洗浄運転の停止指令があるときは、ステップＳ５２６へ進む。
【０２８８】
また、制御部８は、洗浄運転の停止指令がないときは、図７のステップＳ３３へ進む。
【０２８９】
（ステップＳ５２６）
制御部８は、ステップＳ５２６において、洗浄運転を停止する。制御部８は、洗浄運転の停止を、スマートフォンなどの通信端末２３０、またはリモートコントローラ１５を介して報知してもよい。
【０２９０】
以上のように、図７のステップＳ３２Ａの第１加湿動作、およびステップＳ３２Ｂの第２加湿動作では、ステップＳ５２１〜ステップＳ５２５の制御が実行され、加湿機６の加湿能力の低下を抑制している。
【０２９１】
＜第３実施形態＞
第２実施形態では、図１１に示されているように、加湿機１０６は、無線ＬＡＮルータ２１０及び無線ＬＡＮアダプタ８５を介して、空気調和機１０の室内制御部８１から動作を指示される構成であった。
【０２９２】
第３実施形態では、空気調和機１０が加湿機と連動しない場合の洗浄運転について、説明する。
【０２９３】
ユーザーがどのような加湿機を使用するのか不明なため、ここでは加湿機機能のみを有する加湿機２０６を想定する。
【０２９４】
（１）洗浄運転
図１７は、第３実施形態に係る室内空調システム１の動作を説明するためのフローチャートである。以下、洗浄運転を図１７のフローチャートに沿って説明する。洗浄運転が開始される場合には、制御部８が洗浄運転を開始するように指示される場合（手動開始の場合）と、制御部８が洗浄運転の開始を自動的に判断する場合（自動開始の場合）がある。
【０２９５】
第３実施形態の室内空調システム１は、手動開始の場合と自動開始の場合の両方に対応する。しかし、室内空調システム１を、手動開始の場合と自動開始の場合のうちのいずれか一方に対応するように構成することもできる。
【０２９６】
（ステップＳ１０１）
制御部８は、ステップＳ１０１において、洗浄運転の指示の有無を判断する。制御部８は、洗浄運転の指示が有りと判断した場合、ステップＳ１０２へ進む。
【０２９７】
手動開始の場合として、例えば、リモートコントローラ１５の洗浄運転を指示するための洗浄運転開始ボタンが押される場合がある。
【０２９８】
また、制御部８は、洗浄運転の指示が無いと判断した場合ステップＳ１１１へ進む。
【０２９９】
（ステップＳ１０２）
制御部８は、ステップＳ１０２において、洗浄運転を開始するために、水平フラップ２７を開いて所定の角度に固定するように、モータ２７ｍを制御する。水平フラップ２７の角度は、部屋ＲＭに人が居たとしても、人に直接室内機２から吹出される空気が当たらない角度が好ましい。
【０３００】
また、制御部８は、ストリーマ放電を開始するように放電ユニット２９を制御する。ステップＳ１０２の処理前に、既に水平フラップ２７が開放されている場合にはそれを維持する。また、ステップＳ１０２の処理前に、既にストリーマ放電が開始されているときにはストリーマ放電を行っている状態を維持する。ストリーマ放電は、洗浄運転の終了によって終了する。
【０３０１】
洗浄運転でストリーマ放電を行う場合には、室内空調システム１は、室内熱交換器２１の清浄を行うことができる。ただし、放電ユニット２９の放電を停止して洗浄動作を行うように、室内空調システム１を構成することもできる。
【０３０２】
（ステップＳ１０３）
制御部８は、ステップＳ１０３において、部屋ＲＭの中の空気の湿度が所定湿度に達しているか否かを判断する。制御部８は、室内の湿度の値が所定値ＡＨ１である場合だけでなく、所定値ＡＨ１を超えている場合も、室内の湿度の値が所定値ＡＨ１（所定湿度）に達していると判断する。湿度は、絶対湿度を使用しても良いが、相対湿度で代用してもよい。相対湿度で代用する際は必要に応じて相対湿度の検出値を雰囲気温度に合わせて調整させてもよい。
【０３０３】
制御部８は、室内温度センサ３１により室内の温度を検知し、室内湿度センサ３２により室内の相対湿度を検知する。湿度に絶対湿度を使用する場合は、制御部８は、室内温度センサ３１により検知した空気の温度の値ＭＴと、室内湿度センサ３２により検知した空気の相対湿度の値ＭＲＨとから、部屋ＲＭの中の空気の絶対湿度を算出することができる。
【０３０４】
制御部８は、室内の湿度が所定値ＡＨ１に達していると判断した場合、ステップＳ１０４に進む。
【０３０５】
制御部８は、室内の湿度が所定値ＡＨ１に達していないと判断した場合、ステップＳ１３１に進む。
【０３０６】
（ステップＳ１０４）
次に、制御部８は、ステップＳ１０４において、洗浄動作を開始する。第１実施形態および第２実施形態の場合、洗浄動作では、加湿機６，１０６は、加湿動作を停止していたが、第３実施形態の場合、加湿機２０６を制御することはできないので、「加湿機２０６の運転を停止してください。」という報知を行うのみである。
【０３０７】
洗浄動作では、空気調和機１０は、冷房運転または除湿運転と同じく、室内熱交換器２１を蒸発器として機能させる動作を行う。制御部８は、洗浄運転の開始から、タイマ８３によりカウントを開始している。
【０３０８】
（ステップＳ１０５）
次に、制御部８は、ステップＳ１０５において、洗浄運転を開始してから所定時間ｔｔ２が経過したか否かを判断する。制御部８は、「洗浄運転を開始してから所定時間ｔｔ２が経過した」と判断した場合、第１除湿運転を終了して、ステップＳ６へ進み、乾燥動作を行わせる。
【０３０９】
制御部８は、「洗浄運転を開始してから所定時間ｔｔ２が経過していない」と判断した場合、ステップＳ１０４へ戻って、洗浄動作を継続する。
【０３１０】
（ステップＳ１０６）
制御部８は、ステップＳ１０６において、洗浄運転を終了する。
【０３１１】
（ステップＳ１１１）
ステップＳ１０１からステップＳ１０６が動作のメインフローである。一方、先のステップＳ１０１において、制御部８が洗浄運転の指示が無いと判断した場合、制御部８は、ステップＳ１１１において、洗浄運転を開始する条件が満たされたか否かを判断する。制御部８は、「洗浄運転を開始する条件が満たされている」と判断した場合、ステップＳ１０２へ進む。ステップＳ１１１の洗浄運転への移行条件については、第１実施形態の「（３−３）洗浄運転への移行条件」で説明している。
【０３１２】
また、制御部８は、「洗浄運転を開始する条件が満たされていない」と判断した場合、ステップＳ１０１に戻る。
【０３１３】
（ステップＳ１３１）
先のステップＳ１０３において、制御部８が、室内の湿度が所定値ＡＨ１に達していないと判断した場合、制御部８は、ステップＳ１３１において、カウンタを起動して、加湿を促す報知の回数Ｎをカウントする。
【０３１４】
未だ一度も加湿を促す報知を行っていない状態で、ステップＳ１０３からステップＳ１３１に進んできた場合は、Ｎ＝０である。
【０３１５】
（ステップＳ１３２）
次に、制御部８は、ステップＳ１３３において、加湿を促す報知を行った回数Ｎが所定回数Ｘに到達していないか否かを判断する。制御部８は、報知を行った回数Ｎが所定回数Ｘに到達していないと判断した場合、ステップＳ１３３へ進む。
【０３１６】
一方、制御部８は、報知を行った回数Ｎが所定回数Ｘに到達したと判断した場合、ステップＳ１０６に進んで洗浄運転を停止する。
【０３１７】
（ステップＳ１３３）
制御部８は、ステップＳ１３３において、リモートコントローラ１５の表示画面１５ａまたはスピーカ８２を介して、加湿を促す報知を行う。
【０３１８】
加湿を促す報知には、「加湿機２０６を起動して加湿運転を行う」ことを促す報知、「加湿機２０６の加湿能力を上げる操作を行う」ことを促す報知が含まれる。
【０３１９】
第３実施形態の場合、加湿機２０６は空気調和機１０と連動していないので、制御部８は、加湿機２０６が動作しているか否か把握することができない。
【０３２０】
それゆえ、具体的な報知の内容としては、加湿機２０６が停止していることを想定して、「洗浄運転をしますので、加湿機で加湿して下さい。」というメッセージＡを報知してもよい。
【０３２１】
また、加湿機２０６は動作しているが加湿能力が低い場合を想定して、「洗浄運転をしますので、加湿機の加湿能力を上げて下さい。」というメッセージＢを報知してもよい。
【０３２２】
さらに、加湿機２０６は動作しているがユーザーが加湿能力を下げた場合を想定して、「洗浄運転をしますので、加湿機の加湿能力を回復させて下さい。」というメッセージＣを報知してもよい。また、メッセージＡ、Ｂ、Ｃを全て報知してもよい。
【０３２３】
（ステップＳ１３４）
次に、制御部８は、ステップＳ１３４において、加湿を促す報知を行ってから所定時間ｔｓ１が経過したか否かを制御部８が判断する。制御部８は、所定時間ｔｓ１が経過していると判断した場合、ステップＳ１０３へ進む。
【０３２４】
ここでは、報知によって、ユーザーが加湿機２０６による加湿運転を行っているという期待を込めて所定時間ｔｓ１の経過を待っている。そして、実際に加湿運転が行われたか否かは、ステップＳ１０３へ戻って判断する。
【０３２５】
以上のように、制御部８は、加湿を促す報知を行って、所定時間ｔｓ１の経過を待つというルーティンをＮ回繰り返して、それでも室内の湿度が所定値ＡＨ１に達していなかった場合、制御部８は、加湿機２０６は停止した状態であると推定し、洗浄運転を停止する。
【０３２６】
制御部８は、洗浄運転の停止を、スマートフォンなどの通信端末２３０、またはリモートコントローラ１５を介して報知してもよい。
【０３２７】
＜その他の実施形態＞
第１、第２および第３実施形態で、説明した洗浄運転は、室内熱交換器２１を蒸発器として機能させ室内空気に含まれる水分を室内熱交換器２１に凝縮させて室内熱交換器２１の表面に付着した汚れを洗い流す運転を想定して、説明している。
【０３２８】
しかしながら、それに限定されるものではなく、洗浄運転には、室内熱交換器２１の表面温度を氷点下にする凍結運転を行い、凍結運転の終了後に解凍させて室内熱交換器を洗浄する動作も含まれる。
【０３２９】
＜特徴＞
（１）
室内空調システム１では、制御部８は、加湿機６，１０６，２０６の加湿能力を低下させる操作が為された場合、加湿機６，１０６の能力を回復させるように制御する、あるいは、リモートコントローラ１５の表示画面１５ａまたはスピーカ８２を制御して加湿機１０６，２０６の加湿能力を回復させることを促す報知を行う。その結果、ユーザーが加湿機６，１０６，２０６を停止させても、加湿機６，１０６を再起動、または加湿機１０６，２０６の再起動を促す報知をすることによって、洗浄運転に必要な湿度を確保することができる。
【０３３０】
（２）
室内空調システム１では、制御部８は、加湿機６，１０６の加湿能力が低下するような操作がなされた場合に、遠隔操作によって加湿機の加湿能力を回復させるように制御する。その結果、湿度低下が回避される。
【０３３１】
（３）
室内空調システム１では、制御部８は、室内湿度センサ３２の検出値に基づき、加湿機６，１０６，２０６の加湿能力が低下するような操作がなされたか否かを判定する。制御部８は、加湿機６，１０６，２０６の加湿能力が低下するような操作がなされたと判定した場合に、リモートコントローラ１５の表示画面１５ａまたはスピーカ８２を制御して加湿機６，１０６，２０６の加湿能力を回復させることを促す報知を行う。その結果、湿度低下の防止が図られる。
【０３３２】
（４）
室内空調システム１は、制御部８は、洗浄運転中、能力低下抑制措置（例えば、通常の操作では加湿機を止められないようにすること）を行うことによって、加湿機６，１０６を稼働させながら室内熱交換器２１の洗浄運転を行っている間、加湿機６，１０６の停止による湿度低下を防止することができる。
【０３３３】
（５）
室内空調システム１は、制御部８は、能力低下抑制措置として、洗浄運転と加湿機６，１０６，２０６の加湿運転とが連動していること報知する。その結果、ユーザーによる加湿機の停止が未然に防止される。
【０３３４】
（６）
室内空調システム１は、加湿機１０６は、所定操作以外の入力をキャンセルする操作制限機能を有している。制御部８は、能力低下抑制措置として、加湿機１０６の操作制限機能を遠隔操作で有効にする。その結果、加湿機１０６の停止などの加湿能力を下げるような操作が阻止され、湿度低下が回避される。
【０３３５】
所定操作は、複数の操作ボタンのうちの第１ボタン１１６を、通常よりも長く押す操作、または２回以上押す操作である。
【０３３６】
（７）
室内空調システム１では、制御部８は、加湿機６，１０６，２０６の停止を検知または推定したとき、洗浄運転を停止する。なぜなら、湿度低下した状況での洗浄運転は効果が望めないからである。
【０３３７】
（８）
室内空調システム１では、制御部８が、加湿機６，１０６，２０６の停止による洗浄運転の停止を、通信端末、またはリモートコントローラ１５を介して報知する。
【０３３８】
以上、本開示の実施形態を説明したが、特許請求の範囲に記載された本開示の趣旨及び範囲から逸脱することなく、形態や詳細の多様な変更が可能なことが理解されるであろう。
【符号の説明】
【０３３９】
１          室内空調システム
２          室内機（空調室内機）
６          加湿機
８          制御部
１５ａ      表示画面（報知部）
２１        室内熱交換器
３２        室内湿度センサ（湿度センサ）
８２        スピーカ（報知部）
１０６      加湿機
１１６      第１ボタン（所定操作ボタン）
１７２      室内湿度センサ（湿度センサ）
２０６      加湿機
【先行技術文献】
【特許文献】
【０３４０】
【特許文献１】特開２０１０−０１４２８８号公報
【要約】
【課題】本開示が解決しようとする課題は、室内熱交換器の洗浄運転中の湿度低下を未然に防止することである。
【解決手段】  室内空調システム１では、制御部８は、加湿機６，１０６，２０６の加湿能力を低下させる操作が為された場合、加湿機６，１０６の能力を回復させるように制御する、あるいは、リモートコントローラ１５の表示画面１５ａまたはスピーカ８２を制御して加湿機１０６，２０６の加湿能力を回復させることを促す報知を行う。その結果、ユーザーが加湿機６，１０６，２０６を停止させても、加湿機６，１０６を再起動、または加湿機１０６，２０６の再起動を促す報知をすることによって、洗浄運転に必要な湿度を確保することができる。
【選択図】図１０Ｂ【図１】
0006963199.tif 000002
【図２】
0006963199.tif 000003
【図３】
0006963199.tif 000004
【図４】
0006963199.tif 000005
【図５】
0006963199.tif 000006
【図６】
0006963199.tif 000007
【図７】
0006963199.tif 000008
【図８】
0006963199.tif 000009
【図９】
0006963199.tif 000010
【図１０Ａ】
0006963199.tif 000011
【図１０Ｂ】
0006963199.tif 000012
【図１１】
0006963199.tif 000013
【図１２】
0006963199.tif 000014
【図１３】
0006963199.tif 000015
【図１４】
0006963199.tif 000016
【図１５】
0006963199.tif 000017
【図１６】
0006963199.tif 000018
【図１７】
0006963199.tif 000019